(57)【要約】【課題】シャットダンパが閉位置から開位置へ向けて傾動されて、先端シール部がリテーナの内壁面から離れる際に異音が発生するのを抑制する。【解決手段】空調用レジスタにおけるシャットダンパ２０は、ダンパ本体２２と、ダンパ本体２２よりも軟質の材料を用いてダンパ本体２２を取り囲むように形成されたシール部２７とを備える。シール部２７は、先端シール部３１を、ダンパ本体２２の外周縁部から最も離れた箇所に備える。先端シール部３１の外面のうち、開位置から閉位置へ向かうシャットダンパ２０の傾動方向における後側部分は、同傾動方向とは反対方向へ膨らむように湾曲する湾曲面部３２により構成され、前側部分は、シール部２７の両対向辺部２８が対向する方向に対し鋭角で交差して湾曲面部３２に繋がる平面部３３により構成される。先端シール部３１の外面のうち少なくとも平面部３３には、１１０μｍ±５０μｍの高さを有するシボが形成される。【選択図】図１
2018090013.tif 000002
【特許請求の範囲】
【請求項１】
空調用空気の通風路を有する筒状のリテーナを備えるとともに、
ダンパ本体と、前記ダンパ本体よりも軟質の材料を用いて同ダンパ本体を取り囲むように形成されたシール部とを有して前記リテーナ内に配置され、ダンパ軸を支点として、前記通風路を開放する開位置と閉鎖する閉位置との間で傾動するシャットダンパを備え、
前記閉位置で前記シール部が弾性変形しないと仮定した場合、同シール部のうち、前記ダンパ軸を挟んで互いに対向した状態で同ダンパ軸に沿って延びる一対の対向辺部の各一部が、前記リテーナの内壁面に対しラップする空調用レジスタであって、
前記シール部は、前記閉位置では、前記リテーナの内壁面に対し弾性変形した状態で接触する先端シール部を、前記ダンパ本体の外周縁部から最も離れた箇所に備え、
前記先端シール部の外面のうち、前記開位置から前記閉位置へ向かう前記シャットダンパの傾動方向における後側部分は、同傾動方向とは反対側へ向けて膨らむように湾曲する湾曲面部により構成され、前記傾動方向における前側部分は、前記シール部の両対向辺部が対向する方向に対し鋭角で交差して前記湾曲面部に繋がる平面部により構成され、
前記先端シール部の外面のうち少なくとも前記平面部には、１１０μｍ±５０μｍの高さを有するシボが形成されている空調用レジスタ。
【請求項２】
前記シボは、前記平面部に加え、前記湾曲面部のうち、少なくとも前記平面部との境界部分に形成されている請求項１に記載の空調用レジスタ。
【請求項３】
前記シール部は、前記先端シール部及び前記ダンパ本体を繋ぐ可撓性の連結部を備えている請求項１又は２に記載の空調用レジスタ。
【請求項４】
前記ダンパ本体はポリプロピレンにより形成され、前記シール部は熱可塑性エラストマーにより、前記ダンパ本体に一体となった状態で形成されている請求項１〜３のいずれか１項に記載の空調用レジスタ。
【請求項５】
前記シール部は、シリコーンオイルが含有された状態で形成されている請求項１〜４のいずれか１項に記載の空調用レジスタ。
【発明の詳細な説明】
【技術分野】
【０００１】
本発明は、空調用空気の通風路を開放及び閉鎖するシャットダンパが設けられた空調用レジスタに関する。
【背景技術】
【０００２】
例えば、車両のインストルメントパネルには、空調装置から送られてきた空調用空気を吹出す空調用レジスタが組込まれている。この空調用レジスタは、空調用空気の通風路を有する筒状のリテーナを備えている。空調用空気の流れ方向におけるリテーナの下流端は、吹出口を構成している。この空調用レジスタでは、リテーナ内に配置されたフィンが傾動されることで、吹出口から吹出される空調用空気の向きが調整される。また、リテーナ内のフィンよりも上記流れ方向における上流側には、図６に示すシャットダンパ１０２が配置されている（例えば、特許文献１参照）。
【０００３】
シャットダンパ１０２は、ダンパ軸１０３を有するダンパ本体１０４と、そのダンパ本体１０４よりも軟質の材料を用いて同ダンパ本体１０４を取り囲むように、同ダンパ本体１０４の外周縁部に沿って形成されたシール部１０５とを備えている。シャットダンパ１０２は、ダンパ軸１０３を支点として、リテーナ１００の通風路１０１を開放する開位置（図６の二点鎖線参照）と、閉鎖する閉位置（図６の実線参照）との間で傾動される。
【０００４】
上記空調用レジスタでは、閉位置でシール部１０５が弾性変形しないと仮定した場合、同シール部１０５のうち、ダンパ軸１０３を挟んで互いに対向した状態で同ダンパ軸１０３に沿って延びる一対の対向辺部１０６の各一部が、リテーナ１００の内壁面１００ａに対しラップする。
【０００５】
さらに、シール部１０５は、略円形の断面を有する先端シール部１０７を、ダンパ本体１０４の外周縁部から最も離れた箇所に備えている。
そのため、シャットダンパ１０２が開位置から閉位置へ向けて傾動されると、図７（ａ）に示すように、まず、先端シール部１０７がリテーナ１００の内壁面１００ａに接触する。さらに、シャットダンパ１０２が同図７（ａ）における二点鎖線の矢印で示す方向へ傾動されると、図７（ｂ）に示すように、先端シール部１０７が弾性変形して、上記内壁面１００ａに対し密着した状態で接触させられる。
【先行技術文献】
【特許文献】
【０００６】
【特許文献１】特開２０１６−３８２１号公報
【発明の概要】
【発明が解決しようとする課題】
【０００７】
ところが、上記従来の空調用レジスタでは、弾性変形した先端シール部１０７がリテーナ１００の内壁面１００ａに対し吸盤のように吸着される。すなわち、先端シール部１０７と内壁面１００ａとの間が真空に近い状態となって、先端シール部１０７が内壁面１００ａに張り付く。
【０００８】
そのため、シャットダンパ１０２が、上記とは逆に、閉位置から開位置へ向けて、図７（ｃ）における二点鎖線の矢印で示す方向へ傾動される際には、ダンパ本体１０４は傾動しようとするのに、先端シール部１０７は内壁面１００ａに張り付いた状態を維持しようとする。先端シール部１０７と内壁面１００ａとの間には、その内壁面１００ａに沿う方向に大きな摩擦力が働く。その結果、シャットダンパ１０２の開位置に向かう傾動に伴い先端シール部１０７が内壁面１００ａから離れる（剥がれる）際に異音が発生し、車両の搭乗者に不快感を与えるおそれがある。
【０００９】
本発明は、このような実情に鑑みてなされたものであって、その目的は、シャットダンパが閉位置から開位置へ向けて傾動されて、先端シール部がリテーナの内壁面から離れる際に異音が発生するのを抑制することのできる空調用レジスタを提供することにある。
【課題を解決するための手段】
【００１０】
上記課題を解決する空調用レジスタは、空調用空気の通風路を有する筒状のリテーナを備えるとともに、ダンパ本体と、前記ダンパ本体よりも軟質の材料を用いて同ダンパ本体を取り囲むように形成されたシール部とを有して前記リテーナ内に配置され、ダンパ軸を支点として、前記通風路を開放する開位置と閉鎖する閉位置との間で傾動するシャットダンパを備え、前記閉位置で前記シール部が弾性変形しないと仮定した場合、同シール部のうち、前記ダンパ軸を挟んで互いに対向した状態で同ダンパ軸に沿って延びる一対の対向辺部の各一部が、前記リテーナの内壁面に対しラップする空調用レジスタであって、前記シール部は、前記閉位置では、前記リテーナの内壁面に対し弾性変形した状態で接触する先端シール部を、前記ダンパ本体の外周縁部から最も離れた箇所に備え、前記先端シール部の外面のうち、前記開位置から前記閉位置へ向かう前記シャットダンパの傾動方向における後側部分は、同傾動方向とは反対側へ向けて膨らむように湾曲する湾曲面部により構成され、前記傾動方向における前側部分は、前記シール部の両対向辺部が対向する方向に対し鋭角で交差して前記湾曲面部に繋がる平面部により構成され、前記先端シール部の外面のうち少なくとも前記平面部には、１１０μｍ±５０μｍの高さを有するシボが形成されている。
【００１１】
上記の構成によれば、シャットダンパの閉位置では、先端シール部が、その少なくとも平面部においてリテーナの内壁面に接触した状態で弾性変形する。先端シール部の外面に上記平面部が形成されない場合、すなわち、先端シール部の外面が湾曲面部のみによって構成されていて、同先端シール部が略円形の断面を有する場合に比べ、弾性変形の対象となる部分が少なくなる。これに伴い、弾性変形した先端シール部がリテーナの内壁面に接触する面積が少なくなる。その結果、シャットダンパが閉位置から開位置へ向けて傾動される際に、先端シール部と内壁面との間に働く摩擦力が低下する。
【００１２】
また、先端シール部の外面のうち、１１０μｍ±５０μｍの高さのシボが形成された箇所は、微細な凸凹状となる。このシボは、先端シール部の外面のうち少なくとも平面部に形成されている。そのため、先端シール部の平面部がリテーナの内壁面に接触した状態では、同内壁面と平面部との間に隙間が生ずる。この隙間により、先端シール部と内壁面との間が真空に近い状態となることが抑制され、先端シール部が内壁面に張り付くこと、表現を変えると、先端シール部が内壁面に対し吸盤のように吸着することが起こりにくくなる。
【００１３】
上記のように、摩擦力が低下して、吸盤による吸着が起こりにくくなることから、シャットダンパが閉位置から開位置へ向けて傾動される場合、先端シール部が内壁面から離れる（剥がれる）際に異音が発生しにくくなる。
【００１４】
なお、シボにより上記のように隙間が生ずると、閉位置のシャットダンパよりも上流側の空調用空気が、その隙間を通ってシャットダンパよりも下流側へ漏れるおそれがあるが、シボの高さが上記の範囲に設定されることで、空調用空気の漏れを支障のないレベルにとどめることが可能である。
【００１５】
上記空調用レジスタにおいて、前記シボは、前記平面部に加え、前記湾曲面部のうち、少なくとも前記平面部との境界部分に形成されていることが好ましい。
上記の構成によれば、先端シール部の寸法や形状のばらつきにより、先端シール部が、平面部に加え、湾曲面部の少なくとも一部、より詳しくは、少なくとも平面部との境界部分においても、リテーナの内壁面に接触した状態で弾性変形することが起こり得る。しかし、この場合であっても、湾曲面部のうちリテーナの内壁面に接触した箇所では、その内壁面との間に隙間が生ずるため、湾曲面部が内壁面に対し吸盤のように吸着するのを抑制する効果が発揮される。
【００１６】
上記空調用レジスタにおいて、前記シール部は、前記先端シール部及び前記ダンパ本体を繋ぐ可撓性の連結部を備えていることが好ましい。
上記の構成によれば、先端シール部の外面が少なくとも平面部においてリテーナの内壁面に接触するシャットダンパの閉位置では、連結部が撓んだ状態となる。この連結部の弾性復元力により、先端シール部がリテーナの内壁面に押付けられる。先端シール部は、リテーナの内壁面に対し弾性変形した状態で接触する。
【００１７】
上記空調用レジスタにおいて、前記ダンパ本体はポリプロピレンにより形成され、前記シール部は熱可塑性エラストマーにより、前記ダンパ本体に一体となった状態で形成されていることが好ましい。
【００１８】
上記の構成によれば、ポリプロピレンにより形成された硬質のダンパ本体は、シャットダンパの骨格部として機能する。また、熱可塑性エラストマーにより形成されたシール部は、シャットダンパの閉位置では、弾性変形することでリテーナの内壁面に接触する。
【００１９】
上記のようなシャットダンパは、例えば、樹脂成形法の１つであって、１回の成形で２種類の樹脂を重ねて注入成形する二色成形法によって形成可能である。この二色成形法によって、例えば、ダンパ本体を成形した後にシール部を成形することで、シール部をダンパ本体に接合させた状態で形成することが可能である。そのため、ダンパ本体及びシール部を別々に形成した後に、シール部をダンパ本体に組み付ける工程が不要となり、製造コストを低減するうえで有利である。
【００２０】
上記空調用レジスタにおいて、前記シール部は、シリコーンオイルが含有された状態で形成されていることが好ましい。
上記の構成によれば、シール部におけるシリコーンオイルが滑剤としての機能を発揮する。そのため、シャットダンパが閉位置から開位置へ向けて傾動される際に、先端シール部とリテーナの内壁面との間の摩擦力が一層低下する。先端シール部がリテーナの内壁面から離れる際の異音の発生が、シール部にシリコーンオイルが含有されていない場合よりも抑制される。
【発明の効果】
【００２１】
上記空調用レジスタによれば、シャットダンパが閉位置から開位置へ向けて傾動されて、先端シール部がリテーナの内壁面から離れる際に異音が発生するのを抑制することができる。
【図面の簡単な説明】
【００２２】
【図１】一実施形態におけるシャットダンパが開位置まで傾動された空調用レジスタの内部構造を示す側断面図。
【図２】一実施形態におけるシャットダンパの正面図。
【図３】（ａ）は図２の３−３線断面図、（ｂ），（ｃ）は図３（ａ）の一部をそれぞれ拡大して示す部分側断面図。
【図４】（ａ）は、一実施形態におけるシャットダンパが閉位置まで傾動された空調用レジスタの内部構造を示す部分側断面図、（ｂ），（ｃ）は図４（ａ）の一部をそれぞれ拡大して示す部分側断面図。
【図５】（ａ）は、一実施形態の先端シール部におけるシボを模式的に示す部分側断面図、（ｂ）は図５（ａ）の一部を拡大して示す部分側断面図。
【図６】従来の空調用レジスタにおけるリテーナ及びシャットダンパを示す側断面図。
【図７】（ａ）〜（ｃ）は、従来の空調用レジスタにおける先端シール部の形状が、シャットダンパの傾動に伴い変化する様子を説明する部分側断面図。
【発明を実施するための形態】
【００２３】
以下、車両用の空調用レジスタに具体化した一実施形態について、図１〜図５を参照して説明する。
なお、以下の記載においては、車両の進行方向（前進方向）を前方とし、後進方向を後方とし、高さ方向を上下方向として説明する。また、左右方向（車幅方向）については、車両を後方から見た場合を基準として方向を規定する。
【００２４】
車室内において、車両の前席（運転席及び助手席）の前方にはインストルメントパネルが設けられ、その左右方向における中央部、側部等には空調用レジスタが組込まれている。この空調用レジスタの主な機能は、空調装置（図示略）から送られてきて車室内に吹出す空調用空気の向きを変更すること、同空調用空気の吹出し量を調整すること等である。吹出し量の調整には、吹出しを遮断することが含まれる。
【００２５】
図１に示すように、空調用レジスタは、リテーナ１０及び複数のフィンを基本的な構成要素として備える。次に、これら各部の構成について説明する。
＜リテーナ１０＞
リテーナ１０は、空調装置の送風ダクト（図示略）と、インストルメントパネルに設けられた開口（図示略）とを繋ぐためのものである。リテーナ１０は、硬質の樹脂材料によって形成された複数の部材からなり、両端が開放された筒状をなしている。リテーナ１０の内部空間は、空調装置から送られてくる空調用空気Ａ１の流路（以下「通風路１１」という）を構成している。ここで、空調用空気Ａ１の流れ方向に関し、空調装置に近い側を「上流」、「上流側」等といい、同空調装置から遠い側を「下流」、「下流側」等というものとする。通風路１１の下流端は、空調用空気Ａ１の吹出口１２を構成している。
【００２６】
通風路１１は、リテーナ１０の４つの壁部によって取り囲まれている。これらの４つの壁部は、左右方向に相対向する一対の縦壁部１３と、上下方向に相対向する一対の横壁部１４とからなる。通風路１１の少なくとも上流部では、両縦壁部１３が、互いに平行又はそれに近い関係にあり、また、両横壁部１４が、互いに平行又はそれに近い関係にある。
【００２７】
＜フィン＞
フィンは、複数の下流フィン１７及び複数の上流フィン１５からなる。複数の下流フィン１７は、通風路１１であって吹出口１２の近傍において、上下方向へ互いに離間した状態で配設されている。各下流フィン１７の左右方向の両方の端面からは、支軸（図示略）がそれぞれ同方向の外方に向けて突出している。各下流フィン１７は、両支軸において両縦壁部１３に支持されており、両支軸を支点として上下方向へ傾動可能である。
【００２８】
複数の上流フィン１５は、通風路１１の上記下流フィン１７よりも上流において、左右方向へ互いに離間した状態で配設されている。各上流フィン１５の上下方向の両方の端面からは、支軸１６がそれぞれ同方向の外方に向けて突出している。各上流フィン１５は、両支軸１６において両横壁部１４に支持されている。そのため、各上流フィン１５は、両支軸１６を支点として左右方向へ傾動可能である。
【００２９】
上記空調用レジスタでは、空調用空気Ａ１は、通風路１１を通過する過程で、各上流フィン１５及び各下流フィン１７に沿って流れる。各上流フィン１５が両支軸１６を支点として左右方向へ傾動されると、同上流フィン１５の同方向の傾きが変えられる。各下流フィン１７が両支軸を支点として上下方向へ傾動されると、同下流フィン１７の同方向の傾きが変えられる。空調用空気Ａ１は、上流フィン１５及び下流フィン１７の各傾きに応じた方向へ流れて吹出口１２から吹出す。
【００３０】
＜シャットダンパ２０＞
空調用レジスタは、上記基本構成に加え、リテーナ１０内の上流フィン１５よりも上流に平板状のシャットダンパ２０を備えている。シャットダンパ２０は、一対のダンパ軸２１（図２参照）を支点として、開位置と閉位置との間で傾動可能である。なお、一対のダンパ軸２１の一方は、シャットダンパ２０とは別部材により構成されており、図２ではその図示が省略されている。シャットダンパ２０は、開位置では、両横壁部１４間の中央部分で、同両横壁部１４に対し平行又はそれに近い状態（図１の実線参照）となって、通風路１１を全開にする。シャットダンパ２０は、閉位置では、両横壁部１４に対し傾斜した状態（図１の二点鎖線参照）となって、通風路１１を閉鎖する。
【００３１】
シャットダンパ２０は、骨格部としてのダンパ本体２２と、シール部２７とを備えている。
ダンパ本体２２は、硬質の樹脂材料であるポリプロピレン（ＰＰ）によって形成されている。ダンパ本体２２の大部分は、厚みＴ１を有する矩形板状の基部２３によって構成されている。ここで、基部２３の外周縁部を区別するために、図１及び図２に示すように、左右方向に相対向する外周縁部を縦縁部２４といい、各縦縁部２４に直交する外周縁部を横縁部２５というものとする。
【００３２】
基部２３の各横縁部２５には、その基部２３よりも薄い厚みＴ２（＜Ｔ１）を有し、かつ同横縁部２５に沿って左右方向へ延びる薄板部２６が、基部２３に一体に形成されている。
【００３３】
上記ダンパ軸２１は縦縁部２４毎に設けられ、ダンパ本体２２がこれらのダンパ軸２１において両縦壁部１３に支持されている。
一方、シール部２７は、ダンパ本体２２よりも軟質の樹脂材料である熱可塑性エラストマー（ＴＰＥ：Thermo Plastic Elastomer）を用いて、ダンパ本体２２を取り囲むように形成されている。熱可塑性エラストマーは、高温で可塑化され、合成樹脂のように加工が可能で、常温ではゴム弾性体（エラストマー）の性質を示す高分子材料である。
【００３４】
本実施形態では、シール部２７は、オレフィン系熱可塑性エラストマー（ＴＰＯ：Thermo Plastic Olefin ）によって形成されている。ＴＰＯは、ＰＰ、ＰＥ等のポリオレフィンをハードセグメントとし、エチレン−プロピレンゴム（ＥＰＭ、ＥＰＤＭ）等のゴム成分をソフトセグメントとするＴＰＥである。
【００３５】
さらに、上記シール部２７は、シリコーンオイルが含有された状態で形成されている。
シール部２７は、ダンパ本体２２の外周縁部に沿って延びるように、同外周縁部においてダンパ軸２１の近傍を除く略全周にわたって形成されている。
【００３６】
ここで、シール部２７を区別するために、両ダンパ軸２１を挟んで互いに対向した状態で同ダンパ軸２１に沿って延びるもの（２つ）を、それぞれ対向辺部２８という。また、シール部２７のうち、左右方向に相対向した状態で、上記の両対向辺部２８の端部同士を繋ぐもの（２つ）を、それぞれ連結辺部２９というものとする。
【００３７】
両対向辺部２８と両連結辺部２９とでは、担う機能が異なっている。両連結辺部２９は、シャットダンパ２０の傾斜角度に拘らず、常に縦壁部１３の内壁面１３ａに接近又は軽く接触させられる。両連結辺部２９と内壁面１３ａとの間隙は、０〜０．５ｍｍに設定されることが好ましい。これは、間隙が上記の範囲にあると、各連結辺部２９と縦壁部１３との間から漏れ出る空調用空気Ａ１の量が許容範囲に収まる。また、連結辺部２９が縦壁部１３に擦れにくく、シャットダンパ２０を傾動させる際の操作荷重が過大になりにくく、耐久性の低下も抑制されるからである。
【００３８】
また、図１〜図３に示すように、シャットダンパ２０において、両対向辺部２８が対向する方向の寸法Ｍ１（両対向辺部２８の間隔）は、シャットダンパ２０が閉位置まで傾動されたときにシール部２７が撓まないと仮定した場合、各対向辺部２８の一部が横壁部１４に対しラップ量Ｌ１で重なる寸法に設定されている。ラップ量Ｌ１は、１．０ｍｍ〜１．５ｍｍであることが好ましい。ラップ量Ｌ１が上記の範囲にあると、シャットダンパ２０を閉位置まで傾動させるための操作荷重が適度な大きさになる。また、リテーナ１０及びシャットダンパ２０の寸法ばらつきが採り得る最大であったとしても、各対向辺部２８を横壁部１４に対しラップさせる（重ねる）ことが可能である。
【００３９】
図１及び図４に示すように、両対向辺部２８及び両連結辺部２９のいずれも、先端シール部３１及び連結部３５を備えている。先端シール部３１は、シール部２７のうち、ダンパ本体２２の外周縁部から最も離れた箇所に位置する。先端シール部３１は、シャットダンパ２０の閉位置では、横壁部１４の内壁面１４ａに対し弾性変形した状態で接触する。
【００４０】
図３（ａ）〜（ｃ）に示すように、先端シール部３１の外面の主要部は、湾曲面部３２と、同湾曲面部３２に隣接する平面部３３とによって構成されている。湾曲面部３２は、開位置から閉位置へ向かうシャットダンパ２０の傾動方向（図１、図４の反時計回り方向）における後側部分に形成され、平面部３３は同傾向方向における前側部分に形成されている。湾曲面部３２は、上記傾動方向とは反対側へ向けて膨らむように単一の曲率で湾曲している。これに対し、平面部３３は、シール部２７の両対向辺部２８が対向する方向（図３では上下方向）に対し鋭角で交差して、湾曲面部３２に繋がっている。平面部３３は、上記のように形成されることで、シャットダンパ２０を開位置から閉位置に向けて傾動させた場合、先端シール部３１が弾性変形を開始する直前に内壁面１４ａに対し平行、又はそれに近い状態になる。
【００４１】
表現を変えると、外面が湾曲面部３２のみによって構成されていて、略円形の断面を有する円柱状の先端シール部３１を対象とする。その対象とした仮想の先端シール部３１の上記傾動方向における前側部分を、両対向辺部２８が対向する方向に対し鋭角で交差するように切除する。この切除により先端シール部３１に形成される面が、上記平面部３３ということができる。
【００４２】
一方の対向辺部２８における先端シール部３１と、他方の対向辺部２８における先端シール部３１とでは、湾曲面部３２及び平面部３３の位置が互いに逆の関係となる。すなわち、シャットダンパ２０が閉位置にあるとき、上側の対向辺部２８における先端シール部３１では、平面部３３が湾曲面部３２よりも上流側に位置する（図３（ｂ）参照）。下側の対向辺部２８における先端シール部３１では、湾曲面部３２が平面部３３よりも上流側に位置する（図３（ｃ）参照）。
【００４３】
図５（ａ），（ｂ）に示すように、先端シール部３１の外面には、１１０μｍ±５０μｍの高さＨ１を有するシボ３４が形成されている。図３（ｂ），（ｃ）における各Ｆ１は、先端シール部３１の外面のうち、シボ３４が形成されている領域を示している。シボ３４は、後述する厚み漸増部３６に繋がる先端シール部３１においても、薄肉部４２に繋がる先端シール部３１においても、平面部３３の全体、及び湾曲面部３２の略全体を対象として形成されている。
【００４４】
図２及び図３（ａ）〜（ｃ）に示すように、シール部２７の連結部３５は、先端シール部３１とダンパ本体２２とを繋ぐ部分であり、可撓性を有している。連結部３５は、ダンパ本体２２の外周縁部の周方向に互いに離間した複数箇所に、ダンパ本体２２に近づくに従い厚みが漸増する厚み漸増部３６を有している。厚み漸増部３６の厚み方向における両側の面３７は、連結部３５が撓む（弾性変形する）前には平坦となる。厚み漸増部３６の最も厚い箇所での厚みは、上記基部２３の厚みＴ１（図１参照）と同一又は近い値に設定されている。
【００４５】
また、上記連結部３５のうち、隣合う厚み漸増部３６の間は、それらの厚み漸増部３６の厚みとは異なる厚みＴ３（図１参照）を有し、かつ厚み漸増部３６との間に段差部４１を形成する薄肉部４２によって構成されている。各薄肉部４２の厚みＴ３は、各厚み漸増部３６とは異なり、どの箇所でも一定である。しかも、その厚みＴ３は、厚み漸増部３６の最も薄い箇所よりも小さな値に設定されている。そして、厚み漸増部３６と薄肉部４２との組合わせが、ダンパ本体２２の外周縁部の周方向に繰り返し形成されている。
【００４６】
さらに、連結部３５は、ダンパ本体２２と厚み漸増部３６との間、及びダンパ本体２２と薄肉部４２との間にそれぞれ厚み一定部３８を有している。厚み一定部３８の厚みは、上記基部２３の厚みＴ１と同一又は近い値に設定されている。そして、シール部２７は対向辺部２８では、厚み一定部３８においてダンパ本体２２の薄板部２６を覆っている。
【００４７】
上記の構成を有するシャットダンパ２０は、樹脂成形法の１つである二色成形法によって形成されている。二色成形法では、金型が数種類用意され、基本となる金型が回転され、多段階の樹脂注入処理が行なわれることで、１回の成形で２種類の樹脂が重ねられて注入成形される。この二色成形法によれば、ダンパ本体２２を成形した後にシール部２７を成形することで、シール部２７をダンパ本体２２に接合させた状態で形成することができる。そのため、ダンパ本体２２及びシール部２７を別々に形成した後に、シール部２７をダンパ本体２２に組み付ける工程が不要となり、製造コストを低減するうえで有利である。
【００４８】
次に、上記のように構成された本実施形態の作用及び効果について状況毎に分けて説明する。
＜シャットダンパ２０が閉位置にある場合＞
シャットダンパ２０は、図４（ａ）〜（ｃ）において実線で示す閉位置にあるときには、両横壁部１４に対し傾斜した状態となる。このとき、硬質の樹脂材料であるＰＰによって形成されたダンパ本体２２は、シャットダンパ２０の骨格部として機能する。また、ＰＰ製のダンパ本体２２よりも軟質の材料（ＴＰＯ）によって形成された各対向辺部２８の厚み漸増部３６及び薄肉部４２は、それぞれ撓んだ（弾性変形した）状態となる。厚み漸増部３６及び薄肉部４２の各弾性復元力により、各対向辺部２８における先端シール部３１が少なくとも平面部３３を通じて内壁面１４ａに押付けられる。
【００４９】
このとき、対向辺部２８毎の厚み漸増部３６では、ダンパ本体２２に近づくに従い厚みを漸増されていて剛性が高められている。そのため、厚み漸増部３６では、弾性復元力が大きく、先端シール部３１が内壁面１４ａに対しより強く押付けられる。
【００５０】
また、このときには、薄肉部４２の厚みＴ３が、各厚み漸増部３６の最も薄い箇所よりも小さな値で、しかも一定であることから、各薄肉部４２の剛性は各厚み漸増部３６の剛性よりも低い。各薄肉部４２は、各厚み漸増部３６よりも弾性変形しやすい。対向辺部２８における先端シール部３１のうち、薄肉部４２に繋がっている箇所は、厚み漸増部３６に繋がっている箇所よりも弱い力で横壁部１４の内壁面１４ａに押付けられる。
【００５１】
各対向辺部２８の先端シール部３１は、その少なくとも平面部３３において横壁部１４の内壁面１４ａに接触した状態で弾性変形する。対向辺部２８における先端シール部３１に平面部３３が形成されない場合、すなわち、平面部３３が、上記湾曲面部３２と同程度の曲率で湾曲する面に変更されて、先端シール部３１が略円形の断面を有する略円柱状をなしている場合に比べ、弾性変形の対象となる部分が少なくなる。これに伴い、弾性変形した先端シール部３１が横壁部１４の内壁面１４ａに接触する面積が少なくなる。
【００５２】
また、先端シール部３１の外面のうち、１１０μｍ±５０μｍの高さＨ１のシボ３４が形成された箇所は、微細な凸凹状となる。このシボ３４は、先端シール部３１の外面のうち、少なくとも平面部３３の全体に形成されている。そのため、先端シール部３１が少なくとも平面部３３において横壁部１４の内壁面１４ａに接触した状態では、同内壁面１４ａと平面部３３との間に隙間が生ずる。この隙間により、先端シール部３１と内壁面１４ａとの間が真空に近い状態となることが抑制され、先端シール部３１が内壁面１４ａに張り付くこと、表現を変えると、先端シール部３１が内壁面１４ａに対し吸盤のように吸着することが起こりにくくなる。
【００５３】
なお、上記のようにシボ３４が形成されることにより、閉位置のシャットダンパ２０よりも上流側の空調用空気Ａ１が、上記隙間を通ってシャットダンパ２０よりも下流側へ漏れるおそれがある。しかし、シボ３４の高さＨ１が上記の範囲に設定されることで、空調用空気Ａ１の漏れを支障のないレベルにとどめることができる。
【００５４】
また、先端シール部３１の寸法や形状のばらつきにより、シャットダンパ２０の閉位置では、先端シール部３１が、平面部３３に加え、湾曲面部３２の少なくとも一部、すなわち、少なくとも平面部３３との境界部分においても、横壁部１４の内壁面１４ａに接触した状態で弾性変形することが起こり得る。しかし、シボ３４が、先端シール部３１の湾曲面部３２の略全体にも形成されている本実施形態では、湾曲面部３２のうち横壁部１４の内壁面１４ａに接触した箇所では、その内壁面１４ａとの間に隙間を生ずる。そのため、同湾曲面部３２が内壁面１４ａに対し吸盤のように吸着するのを抑制することができる。
【００５５】
＜閉位置にあるシャットダンパ２０を開位置へ向けて傾動させる場合＞
通風路１１を開放する際には、シャットダンパ２０は、閉位置から開位置へ向けて傾動される。ここで、上述したように、本実施形態では対向辺部２８に平面部３３が形成されることで、弾性変形した先端シール部３１が横壁部１４の内壁面１４ａに接触する面積が少なく、先端シール部３１と内壁面１４ａとの間に働く摩擦力が低下している。また、上述したように、シボ３４により、吸盤による吸着が起こりにくくなっている。そのため、シャットダンパ２０が上記のように傾動される場合、先端シール部３１が内壁面１４ａから離れる（剥がれる）際に異音が発生するのを抑制することができる。
【００５６】
また、このときには、シール部２７におけるシリコーンオイルが滑剤としての機能を発揮する。そのため、シャットダンパ２０が閉位置から開位置へ向けて傾動される際に、先端シール部３１と内壁面１４ａとの間の摩擦力が一層低下する。先端シール部３１が内壁面１４ａから一層離れやすくなる。先端シール部３１が内壁面１４ａから離れる際の異音発生をより一層抑制することができる。
【００５７】
＜シャットダンパ２０が開位置にある場合＞
シャットダンパ２０は、図１において実線で示す開位置まで傾動されると、両横壁部１４間の中央部分において、同両横壁部１４に対し平行又はそれに近い状態になる。そのため、通風路１１が大きく開放される。
【００５８】
両横壁部１４間の中央部分を流れる空調用空気Ａ１は、シャットダンパ２０に沿って流れる。先端シール部３１を通過する空調用空気Ａ１の一部は、湾曲している湾曲面部３２に沿って流れることで流れの向きを少しずつスムーズに変えられる。また、先端シール部３１を通過する空調用空気Ａ１の他の一部は、両対向辺部２８の対向する方向に対し鋭角で傾斜する平面部３３に沿って流れることで、流れの向きを僅かに変えられる。そのため、外面の全体が複数の平面部によって構成されていて、隣合う平面部の境界部分が角張っているものとは異なり、空調用空気Ａ１が大きく剥離して流れが悪くなることが起こりにくい。
【００５９】
また、仮に、シール部２７として、ダンパ本体２２の外周縁部から遠ざかるに従い、厚みの徐々に小さくなるものが用いられると、同ダンパ本体２２の外周縁部から最も遠ざかった箇所の剛性が充分でない場合がある。この場合、開位置では、シャットダンパ２０に沿って流れる空調用空気Ａ１によってシール部２７の上記箇所が振動し、ビビリ音が発生するおそれがある。
【００６０】
この点、シール部２７においてダンパ本体２２の外周縁部から最も離れた箇所に、上記の形状を有する先端シール部３１が設けられた本実施形態では、同箇所の剛性が高められる。そのため、シャットダンパ２０の開位置では、シャットダンパ２０に沿って空調用空気Ａ１が流れてもシール部２７の上記箇所が振動しにくく、振動によるビビリ音の発生が抑制される。
【００６１】
＜シャットダンパ２０を開位置から閉位置へ傾動させる場合＞
仮に、シール部２７として、上記と同様、ダンパ本体２２の外周縁部から遠ざかるに従い、厚みの徐々に小さくなるものが用いられると、シャットダンパ２０を開位置から閉位置へ傾動させた場合、閉位置に達する直前にシール部２７と横壁部１４の内壁面１４ａとの間でカルマン渦が発生して、風切り音（笛吹音）を生ずるおそれがある。
【００６２】
この点、シール部２７においてダンパ本体２２の外周縁部から最も離れた箇所に、上記の形状を有する先端シール部３１が設けられた本実施形態では、シャットダンパ２０を開位置から閉位置へ傾動させる場合、閉位置に達する直前に、先端シール部３１と内壁面１４ａとの間で空調用空気Ａ１の流れが乱される。カルマン渦が発生しにくくなり、風切り音（笛吹音）の発生が抑制される。
【００６３】
また、各薄肉部４２の厚みＴ３が各厚み漸増部３６の最も薄い箇所よりも小さな一定の値に設定されているため、各薄肉部４２は、各厚み漸増部３６よりも弾性変形しやすい。そのため、シャットダンパ２０を閉位置まで傾動させる際の操作荷重を、連結部３５に薄肉部４２が形成されていない場合よりも小さくし、操作性の向上を図ることができる。
【００６４】
なお、上記実施形態は、これを以下のように変更した変形例として実施することもできる。
＜先端シール部３１について＞
・先端シール部３１における湾曲面部３２が、互いに異なる曲率で湾曲する複数の湾曲面によって構成されてもよい。
【００６５】
・先端シール部３１におけるシボ３４は、先端シール部３１の外面のうち少なくとも平面部３３に形成されればよい。従って、シボ３４は、先端シール部３１の外面のうち湾曲面部３２に形成されなくてもよい。また、シボ３４は、平面部３３と、湾曲面部３２のうち平面部３３との境界部分とにのみ形成されてもよい。先端シール部３１が湾曲面部３２において弾性変形する場合、その可能性が最も高い箇所は、平面部３３との境界部分だからである。
【００６６】
・連結辺部２９の先端シール部３１においては、平面部３３が省略され、同先端シール部３１の外面が湾曲面部３２のみによって構成されてもよい。
＜連結部３５について＞
・連結部３５における各厚み漸増部３６の厚みは、厚み漸増部３６間で同一に設定されてもよいし、非同一に設定されてもよい。同様に、各薄肉部４２の厚みは、薄肉部４２間で同一に設定されてもよいし、非同一に設定されてもよい。
【００６７】
・連結部３５における厚み一定部３８が省略されてもよい。
・厚み漸増部３６の厚み方向の両側の面３７は、上記各実施形態のように平面状に形成されてもよいが、そのほかにも、同厚み漸増部３６の厚みが、ダンパ本体２２に近づくに従い漸増することを条件に、曲面状に形成されてもよい。すなわち、両方の面３７が互いに遠ざかる側へ膨らむ曲面状に形成されてもよいし、両方の面３７が互いに近づく側へ凹む曲面状に形成されてもよい。
【００６８】
・上記実施形態とは異なり、少なくとも対向辺部２８では連結部３５が厚み漸増部３６のみによって構成されてもよい。この場合には、厚み漸増部３６が、少なくとも対向辺部２８では、ダンパ本体２２の周方向の全長にわたり設けられる。こうすることで、少なくとも対向辺部２８では、ダンパ本体２２の外周縁部の周方向に広い領域にわたり、先端シール部３１を横壁部１４の内壁面１４ａに対し強く押付けることができる。
【００６９】
・上記実施形態とは異なり、少なくとも対向辺部２８では、連結部３５が薄肉部４２のみによって構成されてもよい。この場合には、少なくとも対向辺部２８では、薄肉部４２がダンパ本体２２の外周縁部の周方向の全長にわたり設けられる。
【００７０】
＜フィンについて＞
・上流フィン１５及び下流フィン１７の少なくとも一方が省略されてもよい。また、上流フィン１５及び下流フィン１７に対し、他のフィンが加えられてもよい。
【００７１】
＜適用箇所について＞
・上記空調用レジスタは、車室内においてインストルメントパネルとは異なる箇所、例えばダッシュボードに組込まれる空調用レジスタにも適用可能である。
【００７２】
・上記空調用レジスタは、空調装置から送られてきて吹出口から室内に吹出す空調用空気の向きを変更することに加え、通風路を開放及び閉鎖するシャットダンパを有するものであれば、車両に限らず広く適用可能である。
【００７３】
＜その他＞
・ダンパ本体２２及びシール部２７として別々に形成されたものが用いられてもよい。この場合には、シャットダンパ２０の製作時に、シール部２７をダンパ本体２２の外周縁部に組み付ける工程が必要となる。
【００７４】
・シール部２７におけるシリコーンオイルの含有量は、先端シール部３１と横壁部１４の内壁面１４ａとの間に要求される摩擦力の低減度合いに応じて設定されることが望ましい。
【符号の説明】
【００７５】
１０…リテーナ、１１…通風路、１３ａ，１４ａ…内壁面、２０…シャットダンパ、２１…ダンパ軸、２２…ダンパ本体、２７…シール部、２８…対向辺部、３１…先端シール部、３２…湾曲面部、３３…平面部、３４…シボ、３５…連結部、Ａ１…空調用空気。
【図１】
2018090013.tif 000003
【図２】
2018090013.tif 000004
【図３】
2018090013.tif 000005
【図４】
2018090013.tif 000006
【図５】
2018090013.tif 000007
【図６】
2018090013.tif 000008
【図７】
2018090013.tif 000009